(57)【特許請求の範囲】
【請求項１】
給水された水を貯水する貯水容器と、前記貯水容器内にその下部を上下方向に挿脱して着脱され、前記貯水容器が一定水位の水を貯水するように給水する給水タンクと、前記貯水容器の水を加湿空気に変える加湿手段とを備え、前記給水タンクが、底面に注水口を有したタンクと、前記注水口に着脱自在に取り付けられるキャップとから構成され、前記キャップには、その底面に形成した前記タンク内への連通口と、前記連通口を閉鎖する方向に付勢され、前記給水タンクの前記貯水容器への装着時に前記連通口を開放する弁とが備えられた加湿装置であって、前記キャップの連通口の周縁部から下方へ円筒部を突設し、前記円筒部には前記キャップの底面近傍を上端として前記円筒部の下端に至る切欠き部を形成し、前記円筒部を下端部が前記弁軸の下端部より高く位置する長さに形成し、前記円筒部の外方に前記弁軸より下方向に長く、前記円筒部の切欠き部の上端とほぼ同じ高さに上端が位置し下方が開口する外方切欠き部を有した外方円筒部を設けたことを特徴とする加湿装置。
【請求項２】
前記キャップが、前記タンク底面の注水口から下方へ突設し、その下端開口が注水口となるキャップ取付け筒部に螺合して取り付けられ、前記弁は、前記連通口の閉鎖時に前記キャップ取付け筒部内に位置する構成としたことを特徴とする請求項１に記載の加湿装置。
【請求項３】
前記切欠き部は、前記円筒部の下端部の一部が下方に開口する形状としたことを特徴とする請求項１または２に記載の加湿装置。
【請求項４】
前記切欠き部は、前記円筒部の下端開口がなす下端面が傾斜開口面となる形状としたことを特徴とする請求項１または２に記載の加湿装置。
【請求項５】
前記切欠き部における前記円筒部の内周側角部をＲ面状に形成したことを特徴とする請求項１〜４のいずれかに記載の加湿装置。
【請求項６】
前記弁を上下移動して前記キャップの連通口を開閉させる弁軸を移動自在に保持する軸受部が、前記軸受部の外周面と前記円筒部の内周面とを連結する軸受支持部によって前記円筒部内に同心状に設けられ、前記軸受支持部は前記軸受部の両側方に一対設けられ、前記切欠き部が、前記一対の軸受支持部に対し直交する方向に形成されたことを特徴とする請求項１〜５のいずれかに記載の加湿装置。
【請求項７】
前記キャップの底面を、外周部から前記円筒部に向かうにしたがって低くなる傾斜面としたことを特徴とする請求項１〜６のいずれかに記載の加湿装置。
【請求項８】
前記キャップの底面を、一側端部からこの一側端部に対向する側端部に向かって傾斜する傾斜面としたことを特徴とする請求項１〜６のいずれかに記載の加湿装置。
【請求項９】
前記キャップの底面を、前記円筒部側から外方円筒部に向かうにしたがって低くなる傾斜面としたことを特徴とする請求項１に記載の加湿装置。
【請求項１０】
前記キャップの切欠き部の上端を、前記底面に対し若干低い近傍の高さとしたことを特徴とする請求項１〜６のいずれかに記載の加湿装置。
【発明の詳細な説明】
【技術分野】
【０００１】
本発明は、貯水槽に給水され貯水した水を加湿空気に変えて、室内に放出する加湿装置に関するものである。
【背景技術】
【０００２】
従来からこの種の加湿装置は、貯水槽に水を給水する手段として、タンクに常閉の弁機構を備えたキャップを取り付けた給水タンクを、貯水槽に着脱自在に装着し、この装着時に、弁機構を開いて貯水槽に水を供給する構成のものが使用されている（例えば、特許文献１参照）。
【０００３】
以下、従来のこの種の加湿装置として、特許文献１に記載の加湿器について説明する。
【０００４】
加湿器は、常閉弁を有する弁機構を組み付けた円筒状の給水口を、下方へ突出させて形成した給水キャップを、タンクの底面の注水口に着脱自在に取り付けた給水タンクを備えている。
【０００５】
そして、給水タンクを本体ケース内の水槽部に立設すると、水槽部に設けられたピン部が、給水キャップの弁機構における常閉弁を構成するバネを押し上げて弁が開き、タンクから給水される。
【０００６】
給水される水の水位が給水口の下端部に達すると、タンクへの空気の進入が断たれて給水が停止する。そして、加湿器を運転すると、水槽部の水に下部が浸漬された加湿フィルターに通風されて加湿フィルターに吸水された水が気化し、水槽部の水が消費されて水位が下がっていき、空気が給気口からタンク内へ進入できる水位まで下がると、空気が進入してタンク内の水が給水される。
【０００７】
そして、運転を継続してタンク内の水が空に近くなると、給水タンクを水槽部から取り外して、水を補給できる場所まで持ち運んでタンク内に水を満たし、ふたたび水槽部に装着することとなる。また、給水タンクは、水槽部から取り外されると、常閉弁が閉じて内部の水が漏れない状態となる。
【先行技術文献】
【特許文献】
【０００８】
【特許文献１】特開２００８−８５０２号公報
【発明の概要】
【発明が解決しようとする課題】
【０００９】
このような特許文献１に記載の加湿器では、給水キャップの蓋面から下方へ円筒状に突出した給水口を設け、給水口の下端を給水の開始および停止の水位としているので、給水タンクの水槽部への装着時に、内部に水が満ちている円筒状の給水口は、内部の容積によっては、給水タンクを水槽部から取り外すために持ち上げる際に、弁機構が閉じた内部に水が付着し垂れて落ちる量の水が残留することがあり得るものである。
【００１０】
したがって、給水タンクに水を補給するために、給水タンクを水槽部から持ち運ぶとき、給水タンクから水が垂れ落ちて床面等を濡らしてしまう恐れがある。
【００１１】
そこで、本発明は、上記従来の課題を解決して、水の補給等で給水タンクを貯水容器から取り外して持ち運ぶとき、とくに注意を払わなくても、給水タンクからの水垂れの恐れがない加湿装置を提供することを目的とする。
【課題を解決するための手段】
【００１２】
そして、この目的を達成するために、本発明の加湿装置は、給水された水を貯水する貯水容器と、前記貯水容器内にその下部を上下方向に挿脱して着脱され、前記貯水容器が一定水位の水を貯水するように給水する給水タンクと、前記貯水容器の水を加湿空気に変える加湿手段とを備え、前記給水タンクが、底面に注水口を有したタンクと、前記注水口に着脱自在に取り付けられるキャップとから構成され、前記キャップには、その底面に形成した前記タンク内への連通口と、前記連通口を閉鎖する方向に付勢され、前記給水タンクの前記貯水容器への装着時に前記連通口を開放する弁とが備えられた加湿装置であって、前記キャップの連通口の周縁部から下方へ円筒部を突設し、前記円筒部には前記キャップの底面近傍を上端として前記円筒部の下端に至る切欠き部を形成し、前記円筒部を下端部が前記弁軸の下端部より高く位置する長さに形成し、前記円筒部の外方に前記弁軸より下方向に長く、前記円筒部の切欠き部の上端とほぼ同じ高さに上端が位置し下方が開口する外方切欠き部を有した外方円筒部を設け、これにより所期の目的を達成するものである。
【発明の効果】
【００１３】
本発明によれば、円筒部の下端開口面は切欠き部によって水平面を形成しないので、下端開口の縁部に円筒部内に残留する水を保持する表面張力が発生しなく、給水タンクを貯水容器から取り外して持ち運ぶときには、閉鎖した弁の下方の円筒部内に垂れる水が残留していないので、持ち運び中に床面や机上を濡らしてしまうことを防止できる、という効果を得ることができる。また、本発明においては、前記円筒部を下端部が前記弁軸の下端部より高く位置する長さに形成し、前記円筒部の外方に前記弁軸より下方向に長く、前記円筒部の切欠き部の上端とほぼ同じ高さに上端が位置し下方が開口する外方切欠き部を有した外方円筒部を設けたので、給水タンクの持ち運び時等に、弁軸の先端に誤って何らかを当てて弁軸を押し、タンク内の水を漏らしてしまうことを確実に防止できる。また、水を補給した給水タンクを一旦流し台等に置く場合に、外方円筒部を下側にして置くことができる。
【図面の簡単な説明】
【００１４】
【図１】本発明の実施の形態１の加湿装置を示す斜視図
【図２】同加湿装置の断面図
【図３】同加装置機における給水タンク装着時のキャップ付近を示す断面図
【図４】同給水タンクの取り外し時におけるキャップ付近を示す断面図
【図５】同給水タンクの斜視図
【図６】本発明の実施の形態２の加湿装置における給水タンク装着時のキャップ付近を示す断面図
【図７】同給水タンクの取り外し時におけるキャップ付近を示す断面図
【図８】同給水タンクの斜視図
【図９】本発明の実施の形態３の加湿装置における給水タンク装着時のキャップ付近を示す断面図
【図１０】同給水タンクの取り外し時におけるキャップ付近を示す断面図
【図１１】同給水タンクの斜視図
【図１２】本発明の実施の形態４の加湿装置における給水タンク取り外し時のキャップ付近を示す断面図
【図１３】同給水タンクのキャップ付近を示す側面図
【図１４】本発明の実施の形態５の加湿装置における給水タンク装着時のキャップ付近を示す断面図
【図１５】同給水タンクの斜視図
【発明を実施するための形態】
【００１５】
本発明の請求項１記載の加湿装置は、給水された水を貯水する貯水容器と、前記貯水容器内にその下部を上下方向に挿脱して着脱され、前記貯水容器が一定水位の水を貯水するように給水する給水タンクと、前記貯水容器の水を加湿空気に変える加湿手段とを備え、前記給水タンクが、底面に注水口を有したタンクと、前記注水口に着脱自在に取り付けられるキャップとから構成され、前記キャップには、その底面に形成した前記タンク内への連通口と、前記連通口を閉鎖する方向に付勢され、前記給水タンクの前記貯水容器への装着時に前記連通口を開放する弁とが備えられた加湿装置であって、前記キャップの連通口の周縁部から下方へ円筒部を突設し、前記円筒部には前記キャップの底面近傍を上端として前記円筒部の下端に至る切欠き部を形成したものであり、円筒部の下端開口面は切欠き部によって水平面を形成しないので、給水タンクを貯水容器から上方へ持ち上げるとき、下端開口の縁部に、閉鎖した弁の下方の円筒部内に残留した水をその重みと釣り合いをとって落下させずに保持する表面張力が発生しなく、円筒部内の水はほとんど残留せずに貯水容器内に落下するので、給水タンクを貯水容器から取り外して持ち運んでも、閉鎖した弁の下方の円筒部内には、持ち運び中に垂れる水が残留していないので、持ち運び中に床面や机上を濡らしてしまうことを防止できる、という効果を奏する。
【００１６】
また、請求項２記載の加湿装置は、請求項１に記載の加湿装置において、前記キャップが、前記タンク底面の注水口から下方へ突設し、その下端開口が注水口となるキャップ取付け筒部に螺合して取り付けられ、前記弁は、前記連通口の閉鎖時に前記キャップ取付け筒部内に位置する構成としたものであり、円筒部内の容積が小さくなるので弁の閉鎖時に円筒部内に残留する水の量を少なくすることができ、給水タンクの持ち運び中に水の垂れる恐れをより減少させることができる。
【００１７】
また、請求項３記載の加湿装置は、請求項１または２に記載の加湿装置において、前記切欠き部は、前記円筒部の下端部の一部が下方に開口する形状としたものであり、円筒部の下端開口縁部が段差状に形成されるので、水平面上において残留する水を保持する表面張力がより発生しにくくなり、給水タンクの移動中に水の垂れる恐れをさらに減少させることができる。
【００１８】
また、請求項４記載の加湿装置は、請求項１または２に記載の加湿装置において、前記切欠き部は、前記円筒部の下端開口がなす下端面が傾斜開口面となる形状としたものであり、キャップがほぼ垂直方向に貯水容器の水面から引き上げられるように給水タンクを持ち上げても、円筒部の下端開口は水平面とならないので、残留する水を保持する表面張力の発生を抑えることができ、給水タンクの貯水容器からの持ち上げ方の如何によらず、持ち運び中の水垂れを防止できる。
【００１９】
また、請求項５記載の加湿装置は、請求項１〜４のいずれかに記載の加湿装置において、前記切欠き部における前記円筒部の内周側角部をＲ面状に形成したものであり、残留する水を保持しようとする表面張力は、Ｒ面によって弱められることとなるので、残留する水の貯水容器内への落下作用が高まることとなる。
【００２０】
また、請求項６記載の加湿装置は、請求項１〜５のいずれかに記載の加湿装置において、前記弁を上下移動して前記キャップの連通口を開閉させる弁軸を移動自在に保持する軸受部が、前記軸受部の外周面と前記円筒部の内周面とを連結する軸受支持部によって前記円筒部内に同心状に設けられ、前記軸受支持部は前記軸受部の両側方に一対設けられ、前記切欠き部が、前記一対の軸受支持部に対し直交する方向に形成されたものであり、円筒部内が軸受部において、軸受支持部により２つの流路に仕切られるので、貯水容器の水位が切欠き部の上端より下がって円筒部内に入っていく空気は、手前側の一方の流路を進み、空気が入ることによって貯水容器に落ちる水の流れは、もう一方の流路を通るという空気と水の流れが形成され、持ち運び中の給水タンクからの水垂れを防止するとともに、貯水容器への水の供給をスムーズに行うことができることとなる。
【００２１】
また、請求項７記載の加湿装置は、請求項１〜６のいずれかに記載の加湿装置において、前記キャップの底面を、外周部から前記円筒部に向かうにしたがって低くなる傾斜面としたものであり、給水タンクを貯水容器から持ち上げたとき、キャップの底面に付着している水は、底面の傾斜によって円筒部に流れ、円筒部から貯水容器内へ流れ落ちるので、キャップの底面に垂れ落ちる量の水が付着しても、移動前に貯水容器内に落とすことができる。
【００２２】
また、請求項８記載の加湿装置は、請求項１〜６いずれかに記載の加湿装置において、前記キャップの底面を、一側端部からこの一側端部に対向する側端部に向かって傾斜する傾斜面としたものであり、給水タンクを貯水容器から持ち上げたとき、キャップの底面に付着している水は、底面の一側端部から対向する側端部にわたって形成される傾斜面により、底面を同方向に一様に流れるので、キャップの底面に持ち運び中に垂れる量の水が付着しても、移動前に水は底面をスムーズに流れ、貯水容器内に落とすことができる。
【００２３】
また、請求項９記載の加湿装置は、請求項１〜６いずれかに記載の加湿装置において、前記円筒部を下端部が前記弁軸の下端部より高く位置する長さに形成し、前記円筒部の外方に前記弁軸より下方向に長く、前記円筒部の切欠き部の上端とほぼ同じ高さに上端が位置し下方が開口する外方切欠き部を有した外方円筒部を設けたものであり、円筒部内の容積を小さくするために円筒部の長さを短くして、弁軸が円筒部の下端から突出する構成にしても、給水タンクを貯水容器から取り出したとき、弁軸の先端が何らか当たって押され、タンクから水が漏れるのを阻止することができこととなるので、持ち運び中の給水タンクからの水垂れを防止するとともに、給水タンク単体での取扱い時に、誤って弁が開き水漏れを起こすことを確実に防止できる。
【００２４】
また、請求項１０記載の加湿装置は、請求項９に記載の加湿装置において、前記キャップの底面を、前記円筒部側から外方円筒部に向かうにしたがって低くなる傾斜面としたものであり、給水タンクを貯水容器から持ち上げたとき、キャップの底面に付着している水は、底面の傾斜によって外方円筒部に流れ、外方円筒部から貯水容器内へ流れ落ちるので、キャップの底面に垂れ落ちる量の水が付着しても、移動前に貯水容器内に落とすことができる。
【００２５】
また、請求項１１記載の加湿装置は、請求項〜６のいずれかに記載の加湿装置において、前記キャップの切欠き部の上端を、前記底面に対し若干低い近傍の高さとしたものであり、貯水容器の水位はキャップの底面より低い高さとなるので、キャップの底面にはほとんど水が付着しなくなり、給水タンクの持ち運び中の水垂れの要因を減らすことができる。
【００２６】
以下、本発明の実施の形態について、図１〜図１５を参照しながら説明する。
【００２７】
（実施の形態１）
本発明の実施の形態１の加湿装置は、図１および図２に示すように、天面に吹出口１を形成し、後部側面の下部に吸込口２を形成した略円筒形状の本体ケース３と、本体ケース３内に配設され、加湿空気を発生するための貯水容器６、給水タンク９および加湿手段である加湿フィルター７と、加湿空気を室内に送風する送風機４とからなる。
【００２８】
図２および図３に示すように、貯水容器６は、本体ケース３内の下部に挿入され、上面を開口して一定水位の水を貯水する。加湿フィルター７は、貯水容器６の水に下部を浸漬して立設されている。また、本体ケース３の外部に位置し、底面に上方へ突出する突部８を設けた貯水容器６の一部開口６ａに、給水タンク９が上方から挿入されて、貯水容器６に一定水位の水を給水している。
【００２９】
給水タンク９についてさらに詳述すると、給水タンク９は、本体ケース３の側面に沿って略垂直方向に挿入および取り出しがなされ、片手でつかんで取り扱うことができる程度の大きさのボトル状のタンク１０と、タンク１０の貯水容器６への装着時に下方となる底面に形成した注水口１１から下方へ突設したキャップ取付け筒部１２に螺合して取り付けられるキャップ１３とからなる。
【００３０】
図３〜図５に示すように、キャップ１３には、蓋面となる底面１４に形成されたタンク１０内への連通口１５の周縁部に下方へ突設した円筒部１６と、円筒部１６内を上下方向に移動自在に配設された弁軸１７の上端に固着されて、連通口１５を開閉する略椀状の弁１８とが備えられている。
【００３１】
弁軸１７は、円筒部１６内に同心状に設けられた環状の軸受部１９によって移動自在に保持され、軸受部１９は、その外周面と円筒部１６の内周面とを連結する軸受支持部２０を、円筒部１６の両側方に一対設けることによって、円筒部１６と同心状に設けられている。
【００３２】
また、弁軸１７の下端部と軸受部１９との間にスプリング２１を配設し、弁１８に対して連通口１５を閉鎖する方向に付勢し、給水タンク９を貯水容器６に装着すると、弁軸１７が貯水容器６の突部８に当接しスプリング２１の張力に抗して押し上げられ、弁１８が開く構成となっている。
【００３３】
そして、円筒部１６には、下端部の一部が下方に開口した切欠き部２２を形成している。この切欠き部２２は上端をキャップ１３の底面１４と略同じ高さとしている。
【００３４】
すなわち、切欠き部２２は円筒部１６の略上端から下端に至る高さに切り欠かれるものであり、円筒部１６の高さが低く抑えられるものとなっている。
【００３５】
言いかえれば、円筒部１６の高さは後述する作用を得るために、円筒部１６の下端開口端縁全体が水平面上に形成されないように、すなわち、下端開口面１６ａが一部分欠けた不完全な水平面を形成するように切欠き部２２を形成できる突出高さがあれば足りるものである。
【００３６】
さらに、弁１８の閉鎖時の密閉性を向上させるために、キャップ１３の底面１４の連通口１５周縁部から上方へ円筒状の弁開閉筒部２３を立ち上げているが、この弁開閉筒部２３は、弁１８が閉鎖時にタンク１０のキャップ取付け筒部１２内に位置する高さとなるように低く抑えられている。
【００３７】
このように、弁１８の閉鎖時に弁１８の下方となる弁開閉筒部２３と円筒部１６（この２つの筒部は連続したものであるので、以下、円筒部１６という）は低く抑えられた高さとなり、内部の容積が小さくなる。
【００３８】
また、切欠き部２２における円筒部１６の内周側角部２２ａをＲ面状に形成している。
【００３９】
また、切欠き部２２は、一対の軸受支持部２０が設けられた方向に対し直交する方向に形成されている。
【００４０】
そして、円筒部１６は上述のように高さが低く抑えられているので、弁軸１７は円筒部１６の下端より下方へ突出しているが、その弁軸１７の突出部を囲むように、キャップ１３の底面１４の外周部から下方へ円筒部１６と同心状に、弁軸１７より長く外方円筒部２４を突設し、外方円筒部２４には、底面１４と略同じ高さに上端が位置し、下方が開口した外方切欠き部２５を形成している。
【００４１】
また、底面１４は、円筒部１６側から外方円筒部２４に向かうにしたがって低くなる傾斜面２６に形成されている。この傾斜によって、外方円筒部２４の外方切欠き部２５の上端は、円筒部１６の切欠き部２２の上端より若干低く位置している。
【００４２】
次に、上記構成の加湿装置の操作について説明する。
【００４３】
まず、給水タンク９に水を満たして貯水容器６に装着すると、弁１８が開いてタンク１０内の水が貯水容器６に給水され、給水される水の水位がキャップ１３の外方円筒部２４における外方切欠き部２５の上端に至って、外方切欠き部２５が水により塞がれると、円筒部１６を通って連通口１５からタンク１０内に入る空気の進入が断たれ、給水が停止する。
【００４４】
そして、加湿装置を運転すると、貯水容器６の水を吸水した加湿フィルター７に送風機４から通風され、加湿フィルター７に吸水された水は気化して貯水容器６の水は徐々に減少していき、貯水容器６の水位が外方切欠き部２５の上端から若干下がった高さになると、空気が外方切欠き部２５のわずかに開いた開口から円筒部１６内に入り、小さな気泡となって連通口１５からタンク１０内に進入し、タンク１０内の水が円筒部１６から貯水容器６に流れて下りる。
【００４５】
このとき、小さな気泡となって円筒部１６内を通る空気は、円筒部１６内が軸受部１９において一対の軸受支持部２０により２つの流路２７ａ、２７ｂに仕切られているので、切欠き部２２に対向する手前側の流路２７ａを通過して進み、タンク１０内に至る。そして、空気がタンク１０内の空気層に入ることによりタンク１０内の水が円筒部１６を通って貯水容器６に下りるが、円筒部１６内では軸受支持部２０によって仕切られたもう一方の流路２７ｂを通過することとなり、内部の容積を小さく抑えても、空気と水のそれぞれが通る流路として流路が分けて形成されているので、貯水容器６への水の供給をスムーズに行うことができる。
【００４６】
そして、運転を継続するとタンク１０内の水が減少していき、空に近い状態になると、給水タンク９を本体ケース３の側面に沿う略垂直方向に持ち上げて貯水容器６から取り外し、水の補給できる場所まで持ち運んで水を補給する。
【００４７】
この給水タンク９を略垂直方向に持ち上げる際に、円筒部１６内にそれまで満ちていた水のほとんどが下方の貯水容器６に流れ落ち、閉じた弁１８の下方の円筒部１６内に一部の水が残留するが、この残留する水の量は、円筒部１６内の容積を小さくするように抑えているのでわずかなものとなる。
【００４８】
そして、円筒部１６の下端部の一部が切欠き部２２によって切り欠かれ、下端開口縁の一部が段差状になっており、下端開口縁は連続して水平面上に形成されないので、わずかに残留して下方へ下り下端開口縁に至った水には、水平面上に連続した表面張力が発生せず、ここで発生する表面張力は水の重みと釣り合いをとれる大きさより小さく、給水タンク９を持ち上げる際に、円筒部１６に残留した水は保持されず、ただちに下方の貯水容器６内に落ちる。
【００４９】
また、切欠き部２２は、円筒部１６の内周側角部２２ａがＲ面状に形成されているので、このＲ面状の箇所における水を落下させずに保持しようとする表面張力は弱められ、残留した水の落下作用が高まることとなる。
【００５０】
また、給水タンク９を持ち上げた際に円筒部１６内に残留する水は、その量が上述のようにわずかものなので、貯水容器６内にごく短い時間で落ちる。
【００５１】
このように、貯水容器６から持ち上げて取り出した給水タンク９を、水を補給できる場所まで持ち運ぶときには、円筒部１６内に下方へ垂れて床面等を濡らしてしまう量の水が残留しなくなる。
【００５２】
また、給水タンク９は、片手でつかんで持ち運ぶことができる小形なので気軽に取り扱われがちであるが、水を垂れさせないようにする意識を持つことなく持ち運んでも、水垂れの恐れがなくなる。
【００５３】
また、給水タンク９が小さく机の上に置く加湿装置であっても、給水タンク９への水の補給時に机の上の書類等を濡らしてしまうことをなくすことができる。
【００５４】
そして、上述の作用効果を奏するためには、円筒部１６の底面１４からの突出高さは、水の表面張力と水の重みとが釣り合いをとって落下せずに保持される現象を破ることができる切欠き部２２を形成できれば、足りるものである。
【００５５】
さらに、キャップ１３の底面１４は円筒部１６側から外方円筒部２４に向かうにしたがって低くなる傾斜面２６に形成されているので、給水タンク９を貯水容器６から持ち上げた際に底面１４に付着している水は、傾斜に導かれて外方円筒部２４側に流れ、外方円筒部２４から貯水容器６にただちに流れ落ちる。
【００５６】
したがって、給水タンク９を持ち上げる過程では、キャップ１３の底面１４にそのまま持ち運べば垂れ落ちる量の水が付着していても、持ち運ぶ動作の前に付着した水をただちに貯水容器６に落とすことができる。
【００５７】
このように、給水タンク９の持ち運び中にキャップ１３の底面１４から水が垂れ落ちる恐れもなくすことができる。
【００５８】
そして、円筒部１６から突出した弁軸１７のまわりには外方円筒部２４が設けられているので、給水タンク９の持ち運び時等に、弁軸１７の先端に誤って何らかを当てて弁軸１７を押し、タンク１０内の水を漏らしてしまうことを確実に防止できる。また、水を補給した給水タンク９を一旦流し台等に置く場合に、外方円筒部２４を下側にして置くことができる。
【００５９】
なお、本実施の形態１では、給水タンクが片手でつかんで持ち運べるような小型の加湿装置について説明したが、加湿装置の大きさに限定されずに、キャップの弁の下方の円筒部が、給水タンクを貯水容器から取り出す際に、水が表面張力によって残留する容積のものであれば、同様の作用効果を奏する。
【００６０】
また、加湿手段として加湿フィルターによる気化式のものを使用しているが、水を超音波振動によって細かく破砕し、それを送風機によって吹き出す超音波式、または、水をヒーターで加熱して蒸気を発生する加熱式等でもよく、加湿手段は加湿方式が限定されるものではない。
【００６１】
（実施の形態２）
本発明の実施の形態２の加湿装置は、図６〜図８に示すように、上記実施の形態１の加湿装置に対し、キャップ１３Ａの円筒部１６Ａの切欠き部２２Ａを、円筒部１６Ａの下端開口端縁がなす下端開口面１６ｂが傾斜開口面２８となる形状とした構成に特徴がある。
【００６２】
また、キャップ１３Ａの底面１４Ａは傾斜させずに水平面としている。
【００６３】
上記構成により、キャップ１３Ａが貯水容器６の水面から略垂直方向に引き上げられるように給水タンク９Ａを持ち上げても、円筒部１６Ａの下端開口端縁はかならず傾斜面上に位置するので、下端開口端縁には水の重みと釣り合いがとれる水の表面張力が発生しない。
【００６４】
このように、実施の形態２の加湿装置では、給水タンク９Ａを貯水容器６から取り出す際に、あえてキャップ１３Ａの円筒部１６Ａ内の水を貯水容器６内に落とすように傾けて持ち上げなくても、給水タンク９Ａを持ち運ぶ前に円筒部１６Ａ内の水を貯水容器６内に落とすことができることとなる。
【００６５】
（実施の形態３）
本発明の実施の形態３の加湿装置は、図９〜１１に示すように、上記実施の形態１の加湿装置に対し、キャップ１３Ｂの底面１４Ｂを、外周部から円筒部１６側に向かうにしたがって低くなる傾斜面２６Ａに形成し、また、上記実施の形態１における外方円筒部２４を設けない構成にした点に特徴がある。
【００６６】
上記構成により、キャップ１３Ｂの底面１４Ｂに付着した水は、傾斜面２６Ａの傾斜に導かれて外周部から円筒部１６側に流れ、円筒部１６から貯水容器６にただちに流れ落ち、給水タンク９Ｂの持ち運び中にキャップ１３Ｂの底面１４Ｂから水が垂れ落ちる恐れをなくすことができる。
【００６７】
また、キャップ１３Ｂには外方円筒部２４がないので、水の付着する部分を減らすことができる。
【００６８】
（実施の形態４）
本発明の実施の形態４の加湿装置は、図１２および図１３に示すように、上記実施の形態１の加湿装置に対し、キャップ１３Ｃの底面１４Ｃを、その一側端部からこの一側端部に対向する側端部に向かって傾斜する傾斜面２６Ｂとした点に特徴がある。
【００６９】
上記構成により、給水タンク９Ｃを貯水容器６（図示せず）から持ち上げたとき、キャップ１３Ｃの底面１４Ｃに付着している水は、底面１４Ｃの一側端部から対向する側端部にわたる傾斜により、底面１４Ｃを同方向に一様に流れ、底面１４Ｃの最下部位に位置する外方円筒部２４の壁面部から貯水容器にただちに流れ落ちる。
【００７０】
このように、実施の形態４の加湿装置によれば、給水タンク９Ｃを貯水容器６から取り出す際に、キャップ１３Ｃの底面１４Ｃに持ち運び中に垂れる量の水が付着しても、移動前に水は底面１４Ｃをスムーズに流れ、貯水容器内に落とすことができる。
【００７１】
（実施の形態５）
本発明の実施の形態５の加湿装置は、図１４および図１５に示すように、上記実施の形態１の加湿装置に対し、キャップ１３Ｄの円筒部１６Ｂにおける切欠き部２２Ｂの上端２２ｂを、底面１４Ｄに対し若干低い近傍の高さとした構成に特徴がある。
【００７２】
また、キャップ１３Ｄの底面１４Ｄは傾斜させずに水平面としている。
【００７３】
上記構成により、貯水容器６における給水タンク９Ｄからの給水を停止する水位Ｗが、キャップ１３Ｄの底面１４Ｄより低い切欠き部２２Ｂの上端２２ｂと略同じ高さとなるので、底面１４Ｄは給水タンク９Ｄの貯水容器６への装着時、水に漬かっておらず、給水タンク９Ｄを持ち上げた際に、底面１４Ｄには水がほとんど付着していない。
【００７４】
したがって、キャップ１３Ｄの底面１４Ｄは、仮に水が付着すると落下させずに保持しやすい水平面であっても、給水タンク９Ｄを貯水容器６から持ち上げた際に水がほとんど付着していないので、持ち運び中に底面１４Ｄから水が垂れて落ちることがなくなる。
【産業上の利用可能性】
【００７５】
本発明に係る加湿装置の給水タンクは、本体ケースから取り外して水を補給できる場所まで持ち運ぶときに、キャップに付着している水が垂れて床面等を濡らしてしまうことを防止できるという効果を有し、本体ケースに着脱自在に装着されて、水の補給時に本体ケースから取り出して補給する給水タンクを備えた機器に広く適用できる。
【符号の説明】
【００７６】
６      貯水容器
７      加湿フィルター
９      給水タンク
１０    タンク
１１    注水口
１２    キャップ取付け筒部
１３    キャップ
１３Ａ  キャップ
１３Ｂ  キャップ
１３Ｃ  キャップ
１３Ｄ  キャップ
１４    底面
１４Ｂ  底面
１４Ｃ  底面
１５    連通口
１６    円筒部
１６Ａ  円筒部
１７    弁軸
１８    弁
１９    軸受部
２０    軸受支持部
２２    切欠き部
２２Ａ  切欠き部
２２Ｂ  切欠き部
２２ａ  内周側角部
２２ｂ  上端
２４    外方円筒部
２５    外方切欠き部
２６    傾斜面
２６Ａ  傾斜面
２６Ｂ  傾斜面
２８    傾斜開口面
【図１】
0005747156.tif 000002
【図２】
0005747156.tif 000003
【図３】
0005747156.tif 000004
【図４】
0005747156.tif 000005
【図５】
0005747156.tif 000006
【図６】
0005747156.tif 000007
【図７】
0005747156.tif 000008
【図８】
0005747156.tif 000009
【図９】
0005747156.tif 000010
【図１０】
0005747156.tif 000011
【図１１】
0005747156.tif 000012
【図１２】
0005747156.tif 000013
【図１３】
0005747156.tif 000014
【図１４】
0005747156.tif 000015
【図１５】
0005747156.tif 000016